(57)【要約】【課題】  ごみ投入枠体のごみ箱への嵌合支持をより簡便かつ確実に行えるごみ箱用袋押え枠体を提供することを目的とする。【解決手段】  ごみ箱１０の上部開口周縁部１３を抱持する内外の周縁部２４、２５を下部に形成したごみ投入枠体２０の内周縁部２４に、ごみ袋１の折返し上端部１Ａが係止される係止溝１２に対応させてごみ袋挟持内溝２６を形成したことにより、ごみ箱１０の上部開口周縁部１３をごみ投入枠体２０の下部の内外の周縁部２４，２５により確実に抱持して、ごみ箱１０内に収納された複数のごみ袋１の折返し上縁部１Ａを密接に捕捉することができる。その際、ごみ投入枠体２０の内周縁部２４に形成したごみ袋挟持内溝２６が、ごみ箱１０の上部開口周縁部１３の内側に配置されて隣接するごみ袋１の折返し上縁部１Ａ同士との干渉を効果的に回避できる。【選択図】  図１
2007084222.tif 000002
【特許請求の範囲】
【請求項１】
収納される複数のごみ袋の折返し上縁部か係止される複数の係止溝を上部開口周縁部に設けたごみ箱において、前記ごみ箱の上部開口周縁部を抱持する内外の周縁部を下部に形成したごみ投入枠体またはごみ袋押え枠体の前記内周縁部に、前記係止溝に対応させてごみ袋挟持内溝を形成したことを特徴とするごみ箱用袋押え枠体。
【請求項２】
前記ごみ投入枠体またはごみ袋押え枠体に複数のごみ投入口を形成したことを特徴とする請求項１に記載のごみ箱用袋押え枠体。
【請求項３】
前記ごみ袋押え枠体を、引出し式のごみ箱の上部開口周縁部に抱持・係合させたことを特徴とする請求項１に記載のごみ箱用袋押え枠体。
【発明の詳細な説明】
【技術分野】
【０００１】
本発明は、収納される複数のごみ袋の折返し上縁部か係止される複数の係止溝を上部開口周縁部に設けたごみ箱に関する。特に、前記ごみ箱の上部に嵌合抱持されるごみ箱用袋押え枠体に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。そのようなことから、ごみ箱の内部を仕切り壁により仕切って、複数種類のごみの分別を可能にしたものが提案された（例えば下記特許文献１および２参照）。
【特許文献１】登録実用新案公報第３０８０２６４号（請求項１および公報図２参照）
【特許文献２】登録実用新案公報第３０４４５８４号（公報図１参照）
【発明の開示】
【発明が解決しようとする課題】
【０００３】
前記特許文献１に開示されたごみ箱は、図３に示すように、合成樹脂製のごみ箱本体１０１と、このごみ箱本体１０１の開口部１１０を覆う合成樹脂製の蓋体１０２とを備え、これらごみ箱本体１０１および蓋体１０２が、略平板状に折り畳み可能に構成されたもので、ごみ箱本体１０１の内部空間が仕切り板１３０によって仕切られており、複数のごみ収納部１４０、１４１が形成される。ごみ箱本体１０１および蓋体１０２との接合は、面ファスナー１１６と１５７との係止によりなされる。しかしながら、このごみ箱本体１０１では、分別できるのはせいぜい数種類で限度があった。しかも、合成樹脂製とは言えごみ箱の内部が汚損した場合には清掃する必要があり、作業が面倒であった。
【０００４】
また、前記特許文献２に開示されたごみ箱は、図４に示すように、ごみ箱２０１の上縁部に多数形成されたＶ字開口２３１の適宜個数を選択して、複数のごみ袋２０２の上縁部を係止することで、ごみ箱２０１の内部を複数のごみ袋２０２により分別可能に構成したものである。このような構成により、ごみ袋２０２ごとごみを廃棄できるので、ごみ箱２０１が汚損することがなくなった。しかしながら、この従来例では、ごみ投入口が上部に露呈しており見苦しいのみならず、ごみ袋が脱落し易いものであった。
【０００５】
そこで本件発明者は、前述したごみ箱の諸課題を解決して、ごみ投入口が露呈せず見栄えがよく、ごみ箱内部に収容したごみ袋を確実に挟持でき、汎用のごみ箱が使用できてより多種類のごみの分別を確実に行える分別式ごみ箱を提案した（特願２００５−１５３２３８）。図５を用いてこれを簡単に説明すると、上方が開放された適宜形状のごみ箱（図示省略）の上部に下方が開放された複数のごみ投入口２１〜２３が形成されたごみ投入枠体２０が整合して嵌合される分別式ごみ箱において、前記ごみ投入口を少なくとも前後２列配設するとともに、前記ごみ投入枠体２０とごみ箱との間に、前記ごみ投入枠体２０におけるごみ投入口２１〜２３に対応して複数のごみ袋１の上縁部が係止される分割アタッチメント３０を介設したことを特徴とするものである。
【０００６】
このような構成により、ごみ投入枠体２０により、確実なごみの分別廃棄が可能になるとともに、分割アタッチメント３０の介設により、汎用のごみ箱を使用して、分別すべき数に応じて準備したごみ袋１の上縁部を確実に保持できるとともに、多種類のごみの分別が確実に行える。そして、ごみの廃棄は分割アタッチメント３０の取出しのみにて処理が可能となる。また、前記ごみ投入口２１、２１・を少なくとも前後２列配設した場合は、ごみ投入口が少なくとも前後２列配設されたごみ投入枠体２０を介して多種類のごみの分別廃棄が可能になるとともに、分割アタッチメント３０の介設により、分別すべき数に応じて準備したごみ袋１の上縁部を確実に保持できるとともに、多種類のごみの分別が確実に行えることとなった。
【０００７】
本発明は、前記本件発明者の提案になる前記ごみ箱をさらに改良して、ごみ投入枠体またはごみ袋押え枠体のごみ箱への嵌合支持をより簡便かつ確実に行えるごみ箱用袋押え枠体を提供することを目的とする。
【課題を解決するための手段】
【０００８】
そのため本発明は、収納される複数のごみ袋の折返し上縁部か係止される複数の係止溝を上部開口周縁部に設けたごみ箱において、前記ごみ箱の上部開口周縁部を抱持する内外の周縁部を下部に形成したごみ投入枠体またはごみ袋押え枠体の前記内周縁部に、前記係止溝に対応させてごみ袋挟持内溝を形成したことを特徴とする。また本発明は、前記ごみ投入枠体またはごみ袋押え枠体に複数のごみ投入口を形成したことを特徴とする。また本発明は、前記ごみ袋押え枠体を、引出し式のごみ箱の上部開口周縁部に抱持・係合させたことを特徴とするもので、これらを課題解決のための手段とするものである。
【発明の効果】
【０００９】
本発明では、収納される複数のごみ袋の折返し上縁部か係止される複数の係止溝を上部開口周縁部に設けたごみ箱において、前記ごみ箱の上部開口周縁部を抱持する内外の周縁部を下部に形成したごみ投入枠体またはごみ袋押え枠体の前記内周縁部に、前記係止溝に対応させてごみ袋挟持内溝を形成したことにより、ごみ箱の上部開口周縁部に対してごみ投入枠体またはごみ袋押え枠体の下部の内外の周縁部により確実に抱持して、ごみ箱内に収納された複数のごみ袋の折返し上縁部を密接に捕捉することができる。その際、ごみ箱の上部開口周縁部の内側に配置されて隣接するごみ袋の折返し上縁部同士との干渉を、ごみ投入枠体またはごみ袋押え枠体の前記内周縁部におけるごみ袋挟持内溝により効果的に回避できる。
【００１０】
また、前記ごみ投入枠体またはごみ袋押え枠体に複数のごみ投入口を形成した場合は、ごみ箱内に収納した複数のごみ袋に効果的に対応させて、ごみの分別を確実に行うことができる。さらにまた、前記ごみ袋押え枠体を、引出し式のごみ箱の上部開口周縁部に抱持・係合させた場合は、殆ど上下に嵩張ることのないごみ袋押え枠体により、引出し式のごみ箱に対しても、ごみ袋押え枠体がごみ袋の折返し上縁部同士との干渉を回避してごみ箱内に収納された複数のごみ袋の折返し上縁部を密接に捕捉することができる。
【発明を実施するための最良の形態】
【００１１】
以下、本発明の実施例を図面に基づいて詳細に説明する。図１は本発明のごみ袋用袋押え枠体の第１実施例を示す全体斜視図、図２は引出し式のごみ箱に適用した本発明のごみ袋用袋押え枠体の第２実施例を示す全体斜視図である。本発明の基本的な構成は、図１に示すように、収納される複数のごみ袋１・・の折返し上縁部１Ａか係止される複数の係止溝１２を上部開口周縁部１３に設けたごみ箱１０において、前記ごみ箱１０の上部開口周縁部１３を抱持する内外の周縁部２４、２５を下部に形成したごみ投入枠体２０の前記内周縁部２４に、前記係止溝１２に対応させてごみ袋挟持内溝２６を形成したことを特徴とする。
【実施例１】
【００１２】
以下に詳述する。図１に示すように、上方が開放された適宜形状（図示の例では、平面視形状が方形であるが、円形や楕円形あるいは多角形であってもよい）のごみ箱１０の上部に、下方が開放されたごみ投入枠体２０が整合（ごみ投入枠体２０の平面視形状もごみ箱１０の平面視形状に対応させて、方形、円形、楕円形あるいは多角形であってもよい）して嵌合される。ごみ投入枠体２０には、分別のために複数のごみ投入口２１、２２、２３が形成される（図示の例では３か所）。ごみ投入枠体２０の前面には傾斜面が形成され、該傾斜面にごみ投入口２１、２２、２３が形成されるので、ごみの投入が容易となる。  
【００１３】
ごみ箱１０の上部開口１１の周縁部１３には、ごみ袋１を複数個収納するためのスリット状のごみ袋係止溝１２が形成される。図示の例では、対向する前縁および後縁にそれらの辺長を３等分するように、２か所ずつのごみ袋係止溝１２が形成される。したがって、ごみ箱１０内に収納される各ごみ袋１の折返し上縁部１Ａをごみ箱１０の上部周縁部１３の周りに折り返して添設することにより、互いに隣接するごみ袋１の折返し上縁部１Ａ同士が２重に配設されて前記対向する前縁と後縁との間に渡設されることになる。
【００１４】
ごみ投入枠体２０の下部は、前記ごみ箱１０の上部開口周縁部１３を比較的精密に嵌合して抱持する内外の周縁部２４、２５が２重に形成されている。これらの周縁部２４、２５の間隔は、ごみ箱１０の上部周縁部１３の厚みに加えて添設されたごみ袋１の折返し上縁部１Ａを無理なく挟持できるものとされる。そして、前述したように、互いに隣接するごみ袋１の折返し上縁部１Ａ同士が２重に配設されて対向する前縁と後縁との間に渡設された部分と干渉しないように、前記ごみ投入枠体２０の内周縁部２４におけるごみ箱１０のごみ袋係止溝１２に対応して重合する形態にて隣接する位置にごみ袋挟持内溝２６を形成した。
【００１５】
ごみ投入枠体２０の前記ごみ投入口２１、２２、２３を区画する隔壁２７、２８は、ごみ投入枠体２０の内部を下方に向けて垂設され、前記ごみ袋挟持内溝２６の直上まで形成される。したがって、ごみ投入枠体２０の内外周縁部２４、２５をごみ箱１０の上部開口周縁部１３を抱持して嵌合した場合に、ごみ箱１０の上部開口周縁部１３の上面がほぼ隔壁２７、２８の下面に一致するように構成されている。かくして、ごみ箱１０内に収納されてごみ箱１０の上部開口周縁部１３に折り返されたごみ袋の折返し上縁部１Ａを、ごみ投入枠体２０の下部の内外の周縁部２４、２５により確実に抱持して、密接に捕捉することができ、その際、ごみ箱１０の上部開口周縁部１３の内側の前縁と後縁との間に渡設されたごみ袋１の折返し上縁部１Ａ同士との干渉を、ごみ投入枠体２０の内周縁部におけるごみ袋挟持内溝２６の存在により効果的に回避できる。
【実施例２】
【００１６】
図２は引出し式のごみ箱に適用した本発明のごみ袋用袋押え枠体の第２実施例を示す全体斜視図である。本実施例のものは、前記第１実施例のもののごみ投入枠体２０に代えて、ごみ袋用袋押え枠体５０を採用したものである。本実施例では、ごみ箱１０を引出し式のごみ箱として使用するもので、前面に把手１４が設置される。把手１４の下面には凹設された把持部１５が形成されて手指が挿入し易いように形成される。ごみ箱１０の形状については前記第１実施例のものと同様の構成である。ごみ箱１０内に収納されたごみ袋１の折り返された上縁部１Ａが係止されるごみ袋係止溝１２が、ごみ箱１０の前縁と後縁に２か所ずつ形成される。
【００１７】
ごみ箱１０の上部に嵌合して抱持するところのごみ袋用袋押え枠体５０は、ごみ箱１０の上部開口周縁部１３に適合する平面形状を呈している。ごみ袋用袋押え枠体５０の断面はＡ−Ａ断面に示すように、下方に開放された門形断面を呈しており、内周縁部５１と外周縁部５２との間の隙間にて、ごみ箱１０の上部開口周縁部１３を抱持するように構成される。そして、内周縁部５１におけるごみ箱１０の前記ごみ袋係止溝１２に対応する位置に、ごみ袋挟持内溝５３が形成される。
【００１８】
これにより、ごみ袋挟持内溝５３が、ごみ箱１０の上部開口周縁部１３の内側の前縁と後縁との間に渡設されたごみ袋１の折返し上縁部１Ａ同士との干渉を回避できるので、ごみ袋用袋押え枠体５０が、ごみ箱１０内に収納されてごみ箱１０の上部開口周縁部１３の周囲に折り返されたごみ袋上縁部１Ａを確実に抱持できる。かくして、殆ど上下に嵩張ることのないごみ袋押え枠体５０と組み合わせて、引出し式のごみ箱に対しても有効に複数のごみ袋１の抱持機能を発揮させることができる。なお、図示の例では、ごみ袋押え枠体５０には、ごみ投入口としては複数に分割されていないが、ごみ箱１０に収納されたごみ袋１に対応して分割桟等を設置してもよい。
【００１９】
このように、前記ごみ投入枠体２０またはごみ袋押え枠体５０を用いて、ごみ箱１０内に収納してその上部開口周縁部１３に折り返された複数のごみ袋１の重合する折返し上縁部１Ａ同士と干渉することなく、複数のごみ袋１・・の上縁部をごみ投入枠体２０またはごみ袋押え枠体５０とごみ箱１０の上部開口周縁部１３との間の全周にて面圧低く確実に捕捉して抱持することができるので、ごみ袋１がずれたり、破損することが防止でき、ごみの分別を確実に行うことができる。
【００２０】
以上、本発明の実施例について説明してきたが、本発明の趣旨の範囲内にて、ごみ箱の形状（ストレートの円筒形や方形筒状の他、上方に末広がりの逆円錐形状や逆角錐形状等でもよい。平面視形状も、楕円形や多角形でもよい）、形式およびその材質（鋼板、アルミ等の金属、プラスチック、木材等）ならびにごみ袋係止溝の形状（Ｕ字形状等が好適であるが、挿入上部側を狭く形成してもよい。）、ごみ投入枠体およびごみ袋押え枠体の形状（円形、角形等、ごみ箱の形状に適応した平面視形状、投入口が形成される傾斜面の数、傾斜角度、投入口の数、配列、投入口の形状、分別のための隔壁の形状、数、一体形成および別体構成等の設置形態、軽量化のためネット化等）、形式および材質（鋼板、アルミ等の金属、プラスチック、木材等）ならびにごみ箱との整合・嵌合形態、ごみ投入枠体およびごみ袋押え枠体における内周縁部と外周縁部との間隔、内周縁部に形成されるごみ袋挟持内溝の形状（Ｕ字形状等が好適であるが、ごみ袋の２重折返し上縁部と干渉しない寸法であれば適宜の形状が採用され得る）等は適宜選定できる。
【図面の簡単な説明】
【００２１】
【図１】本発明のごみ箱用袋押え枠体の第１実施例を示す全体斜視図である。
【図２】本発明のごみ箱用袋押え枠体の第２実施例を示すもので、引出し式のごみ箱に適用した全体斜視図である。
【図３】第１従来例のごみ箱を示す全体斜視図である。
【図４】第２従来例のごみ箱を示す全体斜視図である。
【図５】本発明の前提技術となったごみ箱を省略した分別式ごみ箱の全体斜視図である。
【符号の説明】
【００２２】
１      ごみ袋
１Ａ      折返し上縁部
１０      ごみ箱
１１      上部開口
１２      ごみ袋係止溝
１３      上部開口周縁部
２０      ごみ投入枠体
２１〜    
２３  ごみ投入口
２４      下部内周縁部
２５      下部外周縁部
２６      ごみ袋挟持内溝
２７      隔壁
２８      隔壁
【図１】
2007084222.tif 000003
【図２】
2007084222.tif 000004
【図３】
2007084222.tif 000005
【図４】
2007084222.tif 000006
【図５】
2007084222.tif 000007